(57)【要約】【課題】任意の角度に情報を表示したカードを向ける。【解決手段】陳列用カード保持具１は、支持アームを取付可能とするアーム取付部２と、このアーム取付部２の端部に設けた鉛直方向に軸芯を有する軸部２ｄに対して、水平方向に回動可能に連結した板体挟持部３とから構成されている。アーム取付部２の軸部２ｄが板体挟持部３の孔部３ａ内に係止すると、複数個の回動規制突条３ｄが連結片２ｃの溝部２ｌと係合する。板体挟持部３の回動をクリック状に規制する回動規制部から成る回動規制突条３ｄ及び溝部２ｌは、板体挟持部３を係合状態を抗して水平方向にクリック状に回動させることで回動規制突条３ｄが溝部２ｌから外れる。そして、隣接する回動規制突条３ｄが溝部２ｌに係合するまで回動し、回動規制突条３ｄと溝部２ｌとが再度係合することで板体挟持部３がアーム取付部２に対して停止する。【選択図】図３
2017029591.tif 000002
【特許請求の範囲】
【請求項１】
棒体状の支持アームに取付可能なアーム取付部と、該アーム取付部に係止しカードを挟持する枠部及び押さえ部を備えた板体挟持部とから成る陳列用カード保持具であって、
前記アーム取付部は、アーム挿入部と、該アーム挿入部に連続するアーム受部と、該アーム受部に連結片を介して連結した軸部から成り、
前記板体挟持部には一対の円板状の軸受部を設け、
前記軸部と前記軸受部を連結して、前記板体挟持部を前記アーム取付部に対し水平方向に回動自在としたことを特徴とする陳列用カード保持具。
【請求項２】
前記軸部と前記軸受部の間に前記板体挟持部の回動をクリック状に規制する回動規制部を備えたことを特徴とする請求項１に記載の陳列用カード保持具。
【請求項３】
前記回動規制部は、前記連結片の上下面に設けた溝部と、前記軸受部の対向面に設けた回動規制突条とから成り、前記溝部に前記回動規制突条を係合することで前記板体挟持部の回動を規制することを特徴とする請求項２に記載の陳列用カード保持具。
【請求項４】
前記アーム挿入部の側面部と連続する前記アーム受部の側面部には徐々に幅広になる傾斜部を形成し、前記アーム受部の側面部の先端同士が前記軸部側で湾曲しながら連結したことを特徴とする請求項１〜３の何れか１つの請求項に記載の陳列用カード保持具。
【請求項５】
前記側面部の内側に平行する一対の係止条部を設け、前記アーム受部の先端の湾曲個所の内側下方に軸受片部を設け、
先端を斜め状に屈曲した前記支持アームを前記アーム取付部に取り付ける際は、前記一対の係止条部により前記支持アームの胴部を挟持し、前記支持アームの先端は前記アーム受部の先端の湾曲個所の内面に当接することにより固定し、
先端をＬ字状とした前記支持アームを前記アーム取付部に取り付ける際には、前記一対の係止条部により前記支持アームの胴部を挟持し、前記支持アームの屈曲部が前記軸受片部及び前記アーム受部の先端の湾曲個所の内面に当接することにより固定することを特徴とする請求項４に記載の陳列用カード保持具。
【請求項６】
両端に軸部を設けた連結部材と、該連結部材の両側に回動自在に係止し、枠部及び押さえ部を備えた一対の板体挟持部とから成る陳列用カード保持具であって、
前記板体挟持部には円板状の軸受部を設け、
前記連結部材の両端の前記軸部を前記板体挟持部の前記軸受部に連結して、前記板体挟持部を水平方向に回動自在としたことを特徴とする陳列用カード保持具。
【請求項７】
前記連結部材及び前記板体挟持部には、前記板体挟持部の回動をクリック状に規制する回動規制部を備えたことを特徴とする請求項６に記載の陳列用カード保持具。
【請求項８】
前記回動規制部は、前記連結部材の上下面に設けた溝部と、前記軸受部の対向面に設けた回動規制突条とから成り、前記溝部に前記回動規制突条を係止することで前記板体挟持部の回動を規制することを特徴とする請求項７に記載の陳列用カード保持具。
【発明の詳細な説明】
【技術分野】
【０００１】
本発明は、商品情報を記した商品カードを保持し、例えば陳列棚の支持アームに取り付けるための陳列用カード保持具に関するものである。
【背景技術】
【０００２】
各種商品の店頭での販売においては、商品名や商品の価格を記載したポップカードを板体挟持部の歯部により挟持し、嵌着部を陳列棚から突出した支持アームに差し込むことで、利用客に対して商品名や価格等の各種情報を表示することが行われている。
【０００３】
特許文献１には、デパートやスーパマーケット等の陳列棚の支持アームに取り付ける陳列用カード保持具として、所謂ポップカード保持具が開示されている。このポップカード保持具は、支持アームの先端を嵌入するための嵌着穴を有する嵌着部を有し、この嵌着部に薄肉連結部を介して板体挟持部が一体に形成されている。そして、板体挟持部にはポップカードを挟持するための複数対の歯部が設けられている。
【先行技術文献】
【特許文献】
【０００４】
【特許文献１】特開２００１−３５６６８６号公報
【発明の概要】
【発明が解決しようとする課題】
【０００５】
特許文献１の従来の陣列用カード保持具では、ポップカードを支持アームに対して並行に設置することになり、挟持部の向きを調整することができない。特に、通路にはみ出した状態で、ポップカード保持具を配置した場合には、通行人に接触することがあり邪魔となる。
【０００６】
また、通路にはみ出した従来のポップカード保持具は、たとえ通行人と接触しても保持具自体が弾性変形するため破損することは少ないが、ポップカードが挟持部から外れてしまったり、支持アームから嵌着部が抜け落ちてしまうことがある。
【０００７】
更には、商品陳列棚に設けた商品を吊り下げ用の支持アームの先端に、ポップカード保持具の嵌着部を挿し込んで利用するときに、先端が直角に曲がった支持アームにおいては、ポップカード保持具の表示角度が大きくずれてしまうという問題もある。
【０００８】
本発明の目的は、上述の課題を解消し、支持アームに対して、カードを保持した状態で左右を向く自在な角度調整を可能とする陳列用カード保持具を提供することにある。
【課題を解決するための手段】
【０００９】
上記目的を達成するための本発明に係る陳列用カード保持具は、棒体状の支持アームに取付可能なアーム取付部と、該アーム取付部に係止しカードを挟持する枠部及び押さえ部を備えた板体挟持部とから成る陳列用カード保持具であって、前記アーム取付部は、アーム挿入部と、該アーム挿入部に連続するアーム受部と、該アーム受部に連結片を介して連結した軸部から成り、前記板体挟持部には一対の円板状の軸受部を設け、前記軸部と前記軸受部を連結して、前記板体挟持部を前記アーム取付部に対し水平方向に回動自在としたことを特徴とする。
【００１０】
また、上記目的を達成するための本発明に係る陳列用カード保持具は、両端に軸部を設けた連結部材と、該連結部材の両側に回動自在に係止し、枠部及び押さえ部を備えた一対の板体挟持部とから成る陳列用カード保持具であって、前記板体挟持部には円板状の軸受部を設け、前記連結部材の両端の前記軸部を前記板体挟持部の前記軸受部に連結して、前記板体挟持部を水平方向に回動自在としたことを特徴とする。
【発明の効果】
【００１１】
本発明に係る陳列用カード保持具によれば、通行路に対して任意の角度で陳列用カードを表示することができ、通行人の邪魔になることはない。また、支持アームに適用する場合にも、その変形した先端形状への対応が容易である。
【図面の簡単な説明】
【００１２】
【図１】実施例１の陳列用カード保持具の上方から見た斜視図である。
【図２】陳列用カード保持具の下方から見た斜視図である。
【図３】陳列用カード保持具の分解斜視図である。
【図４】先端を斜め状に屈曲した支持アームを取り付けた状態の部分断面図である。
【図５】先端をＬ字状に屈曲した支持アームを取り付けた状態の部分断面図である。
【図６】板体挟持部を取付部に対し平行にした設置状態の陳列用カード保持具の斜視図である。
【図７】板体挟持部を取付部に対して直角にした設置状態の陳列用カード保持具の斜視図である。
【図８】実施例２の陳列用カード保持具の斜視図である。
【図９】陳列用カード保持具の分解斜視図である。
【発明を実施するための形態】
【００１３】
本発明を図示の実施例に基づいて詳細に説明する。
【実施例１】
【００１４】
図１は実施例１の組立状態の陳列用カード保持具を上方から見た斜視図、図２は下方から見た斜視図、図３は分解斜視図である。
【００１５】
陳列用カード保持具１は、商品棚側から突出された支持アームＢを取付可能とするアーム取付部２と、このアーム取付部２に対して、水平方向に回動可能に係止した板体挟持部３とから構成されている。
【００１６】
陳列用カード保持具１は弾発性を有する合成樹脂等から成り、その大きさは例えば幅７ｍｍ、長さ５ｃｍ、高さ２ｃｍ程度であるが、大きさについては支持アームＢの大きさ等に応じて適宜の寸法を採用することができる。また、アーム取付部２は支持アームに保持し易いようにゴム体とし、板体挟持部３は合成樹脂製とすることもできる。
【００１７】
アーム取付部２は、棒体状の支持アームＢを挿入するアーム挿入部２ａと、このアーム挿入部２ａに連続するアーム受部２ｂと、このアーム受部２ｂに連結片２ｃにより連設し、鉛直方向に軸芯を有する円柱状の軸部２ｄとを有している。
【００１８】
アーム挿入部２ａは断面逆Ｕ字状とされ、下方に開口部２ｅを設け、アーム受部２ｂとを繋ぐ両面に側面部２ｆが設けられている。連結片２ｃ側の側面部２ｆは上方に徐々に幅広になる傾斜部を有し、アーム受部２ｂの先端では、両側の側面部２ｆ同士が湾曲しながら連続している。
【００１９】
対向する側面部２ｆの内側上部には、支持アームＢの胴部上面を規制する水平方向の上部係止条部２ｇが内方に向けて突設されており、側面部２ｆの内側下部には、支持アームＢの胴部下面を規制する水平方向の下部係止条部２ｈが内方に向けて突設されている。上部係止条部２ｇと下部係止条部２ｈとは平行になるように配置されており、アーム受部２ｂの先端の湾曲個所の内側下方には、軸受片部２ｉが設けられている。
【００２０】
側面部２ｆの上部同士は連結部２ｊ、２ｋにより連結されており、連結部２ｋは側面部２ｆの水平から上方への傾斜部の間にあって傾斜している。
【００２１】
連結片２ｃの高さは軸部２ｄの長さよりも若干短く、その上下面には側面部２ｆと軸部２ｄとを結ぶ方向に沿って溝部２ｌが設けられている。軸部２ｄの上下両端には、板体挟持部３に取り付けるための係止突部２ｍが設けられており、係止突部２ｍは板体挟持部３に押込みし易くするために傾斜して形成されている。
【００２２】
板体挟持部３には、アーム取付部２の上下の係止突部２ｍに係止する孔部３ａを有する円板状の２個の軸受部３ｂが接続部３ｃに対し上下に対向して配置されている。そして、上下の軸受部３ｂ同士の対向面には、回動規制部として溝部２ｌと係合する条片状の回動規制突条３ｄが９０度毎に孔部３ａを中心とした放射状に設けられている。図３においては、９０度毎に計３個の回動規制突条３ｄが配置しているが、４５度等の適宜の角度で配置するようにしてもよい。
【００２３】
なお、軸受部３ｂの対向面上に回動規制突条３ｄを設けたが、孔部３ａの内壁に回動規制突条を設けることもできる。この場合には、軸部２ｄの側面に回動規制突条に嵌合する溝部を設けることになる。
【００２４】
接続部３ｃの上下部には、コの字状の枠部３ｅの端部が軸受部３ｂの反対側に接続されており、また接続部３ｃには枠部３ｅの内枠内に入り込むように、水平断面がＣ字状に湾曲した押さえ部３ｆが延在されている。また、押さえ部３ｆの上下側にあって、接続部３ｃの上下部には挟持片３ｇが枠部３ｅと平行に設けられている。
【００２５】
陳列用カード保持具１を組み立てる際には、アーム取付部２の軸部２ｄを板体挟持部３の上下の軸受部３ｂに対し水平方向から押し込むことで、軸部２ｄの上下両端の係止突部２ｍが軸受部３ｂを上下に押し広げながら、孔部３ａ内に嵌合する。このように嵌合することで、鉛直方向に軸芯を有する軸部２ｄに対して、板体挟持部３を水平方向に回動自在に係合することができる。
【００２６】
係止突部２ｍが孔部３ａ内に係合させた後に、軸受部３ｂに形成した回動規制突条３ｄが連結片２ｃの溝部２ｌと係合することで板体挟持部３がアーム取付部２に対して停止する。
【００２７】
回動規制部である回動規制突条３ｄと溝部２ｌは、板体挟持部３を溝部２ｌの係合状態を抗して水平方向に回動させることで、回動規制突条３ｄが溝部２ｌから外れ、隣接する回動規制突条３ｄが溝部２ｌに係合するまで９０度回動する。
【００２８】
再度、回動規制突条３ｄと溝部２ｌとが係合することで、板体挟持部３がアーム取付部２に対して停止する。このように、これらの係合は板体挟持部３に力を加えることによってクリック状に回動を許容することになり、このクリック感の感触を得て板体挟持部３を任意の方向に回動し係合したことを確認できる。
【００２９】
図４に示すように、先端を斜め状に屈曲した支持アームＢを組み立てたアーム取付部２に取り付ける際には、アーム取付部２の開口部２ｅに支持アームＢを下方から上方に移動させながら押し込み、一対の下部係止条部２ｈを押し拡げた後に、上部係止条部２ｇ、下部係止条部２ｈにより支持アームＢの胴部の上下面を挟持するまで押し込む。
【００３０】
更に、支持アームＢの先端はアーム受部２ｂの連結部２ｋの傾斜部に沿って当接することで固定する。なお、支持アームＢの斜め状に屈曲した傾斜角と、側面部２ｆの上方に徐々に幅広になる傾斜角、連結部２ｋの傾斜角は略一致している。
【００３１】
また図５に示すように、先端をＬ字状とした支持アームＢをアーム取付部２に取り付ける際には、上部係止条部２ｇ、下部係止条部２ｈにより支持アームＢの胴部の上下面を挟持し、支持アームＢの屈曲部は軸受片部２ｉ及び側面部２ｆ同士の連結部の内面に当接することで固定する。
【００３２】
図６は設置状態の陳列用カード保持具１の斜視図であり、アーム取付部２に商品陳列棚に設けた支持アームＢを差し込んで固定する。その後に、プラスチックケース等から成り商品名や価格等の各種情報を記載したカードＣを、枠部３ｅと押さえ部３ｆと間に挟み込み、枠部３ｅと挟持片３ｇとでカードＣを挟むまで押し込む。枠部３ｅに対する押さえ部３ｆによる押圧力によって、カードＣは多少の衝撃等が加えられても外れることはない。
【００３３】
図６は支持アームＢに対してカードＣが平行になるように、陳列用カード保持具１を配置しているが、通路等の関係で図７に示すように板体挟持部３がアーム取付部２に対して直角になるように、板体挟持部３を回動して用いることができる。
【実施例２】
【００３４】
図８は実施例２の陳列用カード保持具１’の斜視図であり、図９は分解斜視図である。この陳列用カード保持具１’は支持アームに固定することなく、商品陳列棚に設けた仕切板に取り付けて使用する。なお、板体挟持部３は実施例１の板体挟持部３と同様の構造とされている。
【００３５】
この実施例２の陳列用カード保持具１’は、アーム取付部２の代りに、同一形状の一対の板体挟持部３を両側に連結する連結部材４を備えている。連結部材４の両端には軸部４ａが設けられ、これらの軸部４ａの上下両端には板体挟持部３の軸受部３ｂに取り付けるための係止突部４ｂが設けられている。
【００３６】
一対の板体挟持部３は、それぞれ実施例１の陳列用カード保持具１における取付方法に従って、軸受部３ｂに軸部４ａを回動自在に係合することができる。
【００３７】
この実施例２においては、一方の板体挟持部３で前述のカードＣを挟持するために使用し、他方の板体挟持部３は陳列棚に設けられた仕切板に取り付けて使用する。
【００３８】
また、連結部材４の上下面には溝部４ｃを設けているので、軸部４ａを板体挟持部３に係合後に、回動規制突条３ｄに溝部４ｃを係合させることで、板体挟持部３は所定角度にクリック状に回動して、連結部材４に対し任意の角度で固定することができる。
【符号の説明】
【００３９】
１、１’  陳列用カード保持具
２  アーム取付部
２ａ  アーム挿入部
２ｂ  アーム受部
２ｃ  連結片
２ｄ、４ａ  軸部
２ｅ  開口部
２ｆ  側面部
２ｌ、４ｃ  溝部
３  板体挟持部
３ａ  孔部
３ｂ  軸受部
３ｃ  接続部
３ｄ  回動規制突条
３ｅ  枠部
３ｆ  押さえ部
３ｇ  挟持片
４  連結部材
４ｂ  係止突部
Ｂ  支持アーム
Ｃ  カード
【図１】
2017029591.tif 000003
【図２】
2017029591.tif 000004
【図３】
2017029591.tif 000005
【図４】
2017029591.tif 000006
【図５】
2017029591.tif 000007
【図６】
2017029591.tif 000008
【図７】
2017029591.tif 000009
【図８】
2017029591.tif 000010
【図９】
2017029591.tif 000011